(57)【要約】【課題】厚さが異なるレンズに対してもレンズ飛散防止金網を取付ける部品を共通して使用ができ、ムラのないきれいな照射面を提供することができる照明装置を提供する。【解決手段】レンズ２０を取り付ける枠体４０の前部に厚いレンズ用のレンズ飛散防止金網３１を取付ける第１の金網取付部４１を設け、第１の金網取付部４１とレンズ２０との間に薄いレンズ用のレンズ飛散防止金網３２を取付ける第２の金網取付部４２を設けたので、平凸レンズ２１等の厚いレンズを設ける場合およびフレネルレンズ２２等の薄いレンズを用いる場合にも枠体４０を共通して用いることができる。また、厚いレンズ２１および薄いレンズ２２に対しても、レンズ飛散防止金網３０をレンズ２０の近くに取付けることができるので、ムラのないきれいな照射面を提供することができる。【選択図】図１
2009104929.tif 000002
【特許請求の範囲】
【請求項１】
光源の前方にレンズおよび該レンズを保護するレンズ飛散防止金網を有する照明装置であって、
前記レンズを取付ける枠体を有し、
前記枠体における前記レンズの前方位置に、厚いレンズ用のレンズ飛散防止金網を取付ける第１の金網取付部と、前記第１の金網取付部と前記レンズとの間に薄いレンズ用のレンズ飛散防止金網を取付ける第２の金網取付部と、を設けた照明装置。
【請求項２】
前記厚いレンズが平凸レンズであり、前記薄いレンズがフレネルレンズである請求項１記載の照明装置。
【請求項３】
前記第１の金網取付部は前記枠体の前方からレンズ飛散防止金網を挿入して係止する段差であり、前記第２の金網取付部は前記枠体の後方からレンズ飛散防止金網を挿入して係止する段差である請求項１または２記載の照明装置。
【発明の詳細な説明】
【技術分野】
【０００１】
本発明は、光源の前方にレンズおよびレンズ飛散防止金網を有する照明装置に関するものである。
【背景技術】
【０００２】
従来より、光源の前方にレンズおよびレンズ飛散防止金網を有する照明装置として、舞台やスタジオにおけるスポットライトが用いられている（例えば特許文献１参照）。
図５（Ａ）、（Ｂ）に示すように、特許文献１に記載のスポットライト１００では、本体１０１の内部に光源１０２を有しており、光源１０２の前方にレンズ１０３を有し、光源１０２の後方に反射鏡１０４を有している。そして、レンズ１０３を取付けてある枠体１０６におけるレンズ１０３の前側には、レンズ１０３が破損した際に破片が飛散するのを防止するために、レンズ飛散防止金網１０５が取付けられている。なお、スポットライト１００に用いられるレンズ１０３としては、通常の平凸レンズあるいはフレネルレンズを用いるのが一般的である。
【特許文献１】登録実用新案第３００９００５号公報（第１図）
【発明の開示】
【発明が解決しようとする課題】
【０００３】
ところで、レンズ飛散防止金網１０５が照射面に写り込むと、照射面にムラが生じる原因となる。このムラの発生には、レンズ飛散防止金網１０５とレンズ１０３との間隔が関係しており、一般に、間隔を小さくするとレンズ飛散防止金網１０５の影響を小さくすることができる。
【０００４】
しかしながら、図６（Ａ）、（Ｂ）に示すように、平凸レンズ１０３ａとフレネルレンズ１０３ｂとは、厚さが大きく異なるため、平凸レンズ１０３ａを用いた際（図６（Ａ）参照）にレンズ飛散防止金網１０５を取付けることができるようにすれば、フレネルレンズ１０３ｂを取付けた際（図６（Ｂ）参照）にレンズ飛散防止金網１０５がレンズから遠く離れることになり、照射面にムラを生じるという問題があった。
【０００５】
本発明は、従来の問題を解決するためになされたもので、厚さが異なるレンズに対してもレンズ飛散防止金網を取付ける部品を共通して使用ができ、ムラのないきれいな照射面を提供することができる照明装置を提供することを目的とする。
【課題を解決するための手段】
【０００６】
本発明の照明装置は、光源の前方にレンズおよび該レンズを保護するレンズ飛散防止金網を有する照明装置であって、前記レンズを取付ける枠体を有し、前記枠体における前記レンズの前方位置に、厚いレンズ用のレンズ飛散防止金網を取付ける第１の金網取付部と、前記第１の金網取付部と前記レンズとの間に薄いレンズ用のレンズ飛散防止金網を取付ける第２の金網取付部と、を設けた構成を有している。
【０００７】
この構成により、レンズを取り付ける枠体の前部に厚いレンズ用のレンズ飛散防止金網を取付ける第１の金網取付部を設け、第１の金網取付部とレンズとの間に薄いレンズ用のレンズ飛散防止金網を取付ける第２の金網取付部を設けたので、平凸レンズ等の厚い平凸レンズを設ける場合およびフレネルレンズ等の薄いレンズを用いる場合にも枠体を共通して用いることができる。また、厚いレンズおよび薄いレンズに対しても、レンズ飛散防止金網をレンズの近くに取付けることができるので、ムラのないきれいな照射面を提供することができる。
【０００８】
また、本発明の照明装置は、前記厚いレンズが平凸レンズであり、前記薄いレンズがフレネルレンズである構成を有している。
【０００９】
この構成により、厚い平凸レンズあるいは薄いフレネルレンズを用いる場合にも、枠体を共通して用いることができる。
【００１０】
さらに、本発明の照明装置は、第１の金網取付部は前記枠体の前方からレンズ飛散防止金網を挿入して係止する段差であり、第２の金網取付部は前記枠体の後方からレンズ飛散防止金網を挿入して係止する段差である構成を有している。
【００１１】
この構成により、平凸レンズ等の厚いレンズを用いる場合には、枠体の前方からレンズ飛散防止金網を第１の段差に取付け、フレネルレンズ等の薄いレンズを用いる場合には、枠体の後方からレンズ飛散防止金網を第２の段差に取付けるので、いずれの場合に対しても同じレンズ飛散防止金網を容易に枠体に取付けることができる。
【発明の効果】
【００１２】
本発明は、レンズを取り付ける枠体の前部に厚いレンズ用のレンズ飛散防止金網を取付ける第１の金網取付部を設け、第１の金網取付部とレンズとの間に薄いレンズ用のレンズ飛散防止金網を取付ける第２の金網取付部を設けたので、平凸レンズ等の厚い平凸レンズを設ける場合およびフレネルレンズ等の薄いレンズを用いる場合にも枠体を共通して用いることができる。また、厚いレンズおよび薄いレンズに対しても、レンズ飛散防止金網をレンズの近くに取付けることができるので、ムラのないきれいな照射面を提供することができるという効果を有する照明装置を提供することができるものである。
【発明を実施するための最良の形態】
【００１３】
以下、本発明の実施の形態の照明装置について、図面を用いて説明する。
図１（Ａ）は本発明にかかる照明装置において平凸レンズを用いた場合を示す正面図、図１（Ｂ）は側面図、図２（Ａ）は本発明にかかる照明装置においてフレネルレンズを用いた場合を示す正面図、図２（Ｂ）は側面図、図３（Ａ）は枠体を前方から見た斜視図、図３（Ｂ）は枠体を後方から見た斜視図、図４（Ａ）は平凸レンズを枠体取付ける状態を示す斜視図、図４（Ｂ）はフレネルレンズを取付ける状態を示す斜視図である。
【００１４】
図１および図２に示すように、本発明の照明装置であるスポットライト１０は、箱状の本体１１の内部に光源であるランプ１２を有し、ランプ１２の前方にレンズ２０および該レンズ２０を保護するレンズ飛散防止金網３０を有している。また、本体１１内部のランプ１２後方には、ランプ１２の光を照明方向（すなわち、レンズ２０方向）へ反射して集光する反射鏡１３を有している。従って、ランプ１２から発せられた光は、反射鏡１３によって反射され、あるいは直接照明方向へ放射されて、レンズ２０を介して照射されることになる。なお、本体１１の両側面１１ａには回転軸１４により取っ手１５が取付けられており、本体１１を所望の角度に設定してツマミ１４ａを締めることにより、本体１１を吊下げ状態で所望の角度で固定できるようになっている。
【００１５】
本体１１の前面には、レンズ２０およびレンズ飛散防止金網３０を本体１１に取付けるための枠体４０が設けられており、枠体４０には円形の切欠き４０ａが設けられている。枠体４０の後面（すなわち、本体１１前面側）にはレンズ２０を取付けるためのレンズ取付部であるリングバネ４３が設けられている。このリングバネ４３は、例えば平凸レンズ２１のような厚いレンズおよび例えばフレネルレンズ２２のような薄いレンズを共通して取付けることができる。
【００１６】
図１および図３（Ａ）に示すように、枠体４０におけるレンズ２０の前方位置には、厚いレンズである例えば平凸レンズ２１用のレンズ飛散防止金網３１を取付ける第１の金網取付部である第１の段差４１が、切欠き４０ａの内側へ突出して設けられており、段差４１には全周にわたって複数個の金網取付け突起４１ａが設けられている。従って、レンズ飛散防止金網３１のフレーム３１ａを金網取付け突起４１ａによって係止することにより、レンズ飛散防止金網３１を枠体４０の切欠き４０ａに取付けるようになっている。
【００１７】
また、図２および図３（Ｂ）に示すように、枠体４０における第１の段差４１とレンズ２０との間に薄いレンズである例えばフレネルレンズ２２用のレンズ飛散防止金網３２を取付ける第２の金網取付部である第２の段差４２が切欠き４０ａの内側へ突出して設けられており、段差４１には、全周にわたって複数個の金網取付け突起４２ａが設けられている。従って、レンズ飛散防止金網３２のフレーム３２ａを金網取付け突起４２ａによって係止することにより、レンズ飛散防止金網３２を枠体４０の切欠き４０ａに取付けるようになっている。なお、レンズ飛散防止金網３０（３１，３２）はリング状のフレーム３０ａ（３１ａ、３２ａ）と金網３０ｂ（３１ｂ、３２ｂ）から構成されており、平凸レンズ２１用のレンズ飛散防止金網３１と、フレネルレンズ２２用のレンズ飛散防止金網３２は同じものを用いることができる。
【００１８】
従って、第１の段差４１と第２の段差４２との間は、切欠き４０ａの内側へブロック状で突出することになる。なお、ブロック状ではなく、爪状の部材を切欠き４０ａの内側へ突出させて設けて、レンズ飛散防止金網３０を係止するようにしてもよい。
【００１９】
次に、レンズ２０およびレンズ飛散防止金網３０の取付け作業について説明する。
まず、平凸レンズ２１を用いる場合には、図４（Ａ）に示すように、平凸レンズ用金網３１を枠体４０の前方（図４（Ａ）において左側）から切欠き４０ａに挿入し、第１の段差４１の金網取付け突起４１ａに固定する。次いで、平凸レンズ２１を枠体４０のリングバネ４３に取付ける。なお、平凸レンズ２１を用いる場合には、平凸レンズ２１の取付け方向と、レンズ飛散防止金網３１の取付け方向とが反対なので、先に平凸レンズ２１を取付けてからレンズ飛散防止金網３１を取付けることも可能である。
【００２０】
また、フレネルレンズ２２を用いる場合には、図４（Ｂ）に示すように、枠体４０の後方からレンズ飛散防止金網３２を切欠きに挿入し、金網取付け突起４２ａによってレンズ飛散防止金網３２を固定した後、フレネルレンズ２２を枠体４０の後方からリングバネ４３に取付ける。この場合には、先にレンズ飛散防止金網３２を取付ける必要がある。
【００２１】
以上、説明した照明装置１０によれば、レンズ２０を取り付ける枠体４０の前部に厚いレンズ用のレンズ飛散防止金網３１を取付ける第１の段差４１を設け、第１の段差４１とレンズ２０との間に薄いレンズ用のレンズ飛散防止金網３２を取付ける第２の段差４２を設けたので、平凸レンズ２１等の厚い平凸レンズを設ける場合およびフレネルレンズ２２等の薄いレンズを用いる場合にも枠体４０およびレンズ飛散防止金網３０（３１，３２）を共通して用いることができる。
また、厚いレンズおよび薄いレンズに対しても、レンズ飛散防止金網をレンズの近くに取付けることができるので、ムラのないきれいな照射面を提供することができる。
【００２２】
なお、本発明の照明装置は、前述した実施形態に限定されるものでなく、適宜な変形，改良等が可能である。
例えば、前述した実施形態においては、取っ手１５によって本体１１を吊下げ状態で使用する場合について説明したが、取っ手１５を設けずに、支柱（図示省略）等に取付けて使用することも可能である。
また、薄いレンズとしてフレネルレンズ２２を例示したが、この他、薄い平凸レンズを薄いレンズとして用いることができる。
【産業上の利用可能性】
【００２３】
以上のように、本発明にかかる照明装置は、レンズを取り付ける枠体の前部に厚いレンズ用のレンズ飛散防止金網を取付ける第１の金網取付部を設け、第１の金網取付部とレンズとの間に薄いレンズ用のレンズ飛散防止金網を取付ける第２の金網取付部を設けたので、平凸レンズ等の厚い平凸レンズを設ける場合およびフレネルレンズ等の薄いレンズを用いる場合にも枠体を共通して用いることができる。また、厚いレンズおよび薄いレンズに対しても、レンズ飛散防止金網をレンズの近くに取付けることができるので、ムラのないきれいな照射面を提供することができるという効果を有し、光源の前方にレンズおよびレンズ飛散防止金網を有する照明装置等として有用である。
【図面の簡単な説明】
【００２４】
【図１】（Ａ）は本発明にかかる照明装置において平凸レンズを用いた場合を示す正面図、（Ｂ）は側面図
【図２】（Ａ）は本発明にかかる照明装置においてフレネルレンズを用いた場合を示す正面図、（Ｂ）は側面図
【図３】（Ａ）は枠体を前方から見た斜視図、（Ｂ）は枠体を後方から見た斜視図
【図４】（Ａ）は平凸レンズを枠体取付ける状態を示す斜視図、（Ｂ）はフレネルレンズを取付ける状態を示す斜視図
【図５】（Ａ）従来のスポットライトを示す正面図、（Ｂ）従来のスポットライトを示す側面図
【図６】（Ａ）平凸レンズを用いた従来のスポットライトを示す側面図、（Ｂ）フレネルレンズを用いた従来のスポットライトを示す側面図
【符号の説明】
【００２５】
１０  照明装置
１２  ランプ（光源）
２０  レンズ
２１  平凸レンズ（厚いレンズ）
２２  フレネルレンズ（薄いレンズ）
３０  レンズ飛散防止金網
３１  厚いレンズ用のレンズ飛散防止金網
３２  薄いレンズ用のレンズ飛散防止金網
４０  枠体
４１  第１の段差（第１の金網取付部）
４２  第２の段差（第２の金網取付部）
【図１】
2009104929.tif 000003
【図２】
2009104929.tif 000004
【図３】
2009104929.tif 000005
【図４】
2009104929.tif 000006
【図５】
2009104929.tif 000007
【図６】
2009104929.tif 000008